(57)【要約】  【課題】  大きな開口部を有し収納物を容易に取り出し可能とすると共に、前記開口部を容易に形成可能とし、開閉自在な蓋を設け、前記蓋を確実に閉止可能な段ボール製梱包箱を提供することである。【解決手段】  開閉自在な蓋ＨＣを備える段ボール製梱包箱Ｈであって、前記蓋を外面パネル１と内面パネル４の一部を剥ぎ取った天板部４Ａとを有する二重パネル部から構成して、前記内面パネル４に大きな開口部２０を形成すると共に、前記外面パネル１の両側端縁部の根元部に、蓋を開く際にガイドとなる開閉折込ガイド５を設け、先端縁には、蓋を閉止する差込片１１を設ける構成とし、前記開閉折込ガイド５を、第一側面パネル６Ａと第二側面パネル６Ｂとで挟み込む構成とした。【選択図】    図１
2008074458.tif 000002
【特許請求の範囲】
【請求項１】
開閉自在な蓋を備える六面パネル体の段ボール製梱包箱であって、
前記六面パネル体からなる箱体が、外面パネルと内面パネルを有する二重パネルからなる上面と、一対の左右の側面パネルと前面パネルと背面パネルの４面パネルから構成される側面と、底面パネルを備えており、
前記左右の側面パネルを、前記底面パネルの両側に連接して設ける第一側面パネルと、前記背面パネルの両側に連接して設ける第二側面パネルとの二重パネルの上に、さらに前記内面パネルの両側に連接して設ける第三側面パネルを重ねた構成とし、前記第三側面パネルの先端側に折込フラップを設けて前記底面パネルの外側に貼着する構成とし、
前記上面の二重パネル部に、前記内面パネルの一部に形成されるミシン目で囲まれた天板部と前記外面パネルとを貼着した後で、前記天板部を前記内面パネルから切断して剥ぎ取り、外面パネルと天板部とが貼着した構成の蓋と、前記内面パネルから前記天板部が剥ぎ取られて形成される開口部とを設け、
前記外面パネルの両側端縁部の根元部に、蓋を開く際にガイドとなり、円弧状周縁部と該円弧状周縁部から突出した開口規制部とを備える開閉折込ガイドを設け、該開閉折込ガイドを前記側面パネルのいずれかの二枚の側面パネルで挟み込む構成とすると共に、前記内面パネルに、前記円弧状周縁部が挿通自在な溝部となる開閉溝部を設けて、前記円弧状周縁部が、前記開閉溝部に沿って摺動するように出入りする構成とし、前記外面パネルの先端縁には、蓋を閉止する差込片を設けたことを特徴とする段ボール製梱包箱。
【請求項２】
開閉自在な蓋を備える六面パネル体の段ボール製梱包箱であって、
前記六面パネル体からなる箱体が、外面パネルと内面パネルを有する二重パネルからなる上面と、一対の左右の側面パネルと前面パネルと背面パネルの４面パネルから構成される側面と、底面パネルを備えており、
前記左右の側面パネルを、前記底面パネルの両側に連接して設ける第一側面パネルと、前記背面パネルの両側に連接して設ける第二側面パネルとの二重パネルの上に、さらに前記内面パネルの両側に設ける第三側面パネルを重ねた構成とし、
前記第三側面パネルの先端側に前記第三側面パネルの幅の半分以下の長さの折込フラップを設け、前記第一側面パネルに前記折込フラップを差し込む差込孔を設け、該差込孔に前記折込フラップを差し込んで箱体を構成し、
前記上面の二重パネル部に、前記内面パネルの一部に形成されるミシン目で囲まれた天板部と前記外面パネルとを貼着した後で、前記天板部を前記内面パネルから切断して剥ぎ取り、外面パネルと天板部とが貼着した構成の蓋と、前記内面パネルから前記天板部が剥ぎ取られて形成される開口部とを設け、
前記外面パネルの両側端縁部の根元部に、蓋を開く際にガイドとなり、円弧状周縁部と該円弧状周縁部から突出した開口規制部とを備える開閉折込ガイドを設け、該開閉折込ガイドを前記側面パネルのいずれかの二枚の側面パネルで挟み込む構成とすると共に、前記内面パネルに、前記円弧状周縁部が挿通自在な溝部となる開閉溝部を設けて、前記円弧状周縁部が、前記開閉溝部に沿って摺動するように出入りする構成とし、前記外面パネルの先端縁には、蓋を閉止する差込片を設けたことを特徴とする段ボール製梱包箱。
【請求項３】
前記開閉溝部の長さを、前記開閉折込ガイドの円弧状周縁部の半径よりもわずかに長い長さとしていることを特徴とする請求項１または２に記載の段ボール製梱包箱。
【請求項４】
重ね合わせる前記第一、第二側面パネルの間に前記開閉折込ガイドを挿入しサンドイッチ状に挟み込む構成として、前記開閉折込ガイドがその両側をガイドされた状態で摺動する構成としたことを特徴とする請求項１から３のいずれかに記載の段ボール製梱包箱。
【請求項５】
前記内面パネルに予め所定大きさの開口窓部を設けておき、該開口窓部に前記天板部を連接して設けたことを特徴とする請求項１から４のいずれかに記載の段ボール製梱包箱。
【請求項６】
前記外面パネルの先端縁を延設して上面から前面の中ほどまでに至る長さとし、前記前面パネルに、前記天板部に連なるミシン目で囲まれた剥ぎ取り部を設けたことを特徴とする請求項１から５のいずれかに記載の段ボール製梱包箱。
【請求項７】
前記剥ぎ取り部の下部の、前記前面パネルの内側に補強段ボール材を貼着したことを特徴とする請求項６に記載の段ボール製梱包箱。
【請求項８】
前記外面パネルの先端縁に設ける差込片を前記先端縁から突出する長さとしたことを特徴とする請求項１から７のいずれかに記載の段ボール製梱包箱。
【請求項９】
前記第三側面パネルの一部を切除して、前記開閉折込ガイドの円弧状周縁部と係合しない長さとしたことを特徴とする請求項１から８のいずれかに記載の段ボール製梱包箱。
【請求項１０】
段ボールの段目を前記底面パネルと該底面パネルの両側に設ける第一側面パネルとに連続する平行な段目とし、箱体としたときに、前記第一側面パネルと前記第三側面パネルとの二面の段目が垂直方向となることを特徴とする請求項１から９のいずれかに記載の段ボール製梱包箱。
【請求項１１】
前記外面パネルの外側の所定位置に、貼付粘着部を有するシールを貼付可能とする添付台紙を予め貼着していることを特徴とする請求項１から１０のいずれかに記載の段ボール製梱包箱。
【発明の詳細な説明】
【技術分野】
【０００１】
本発明は、段ボール製梱包箱に関し、特に小物や日用品を梱包して配達する小包として好適であると共に、梱包した品物が取り出し容易となる開閉蓋を有する段ボール製梱包箱に関するものである。
【背景技術】
【０００２】
従来、小物や日用品等を収納するための梱包箱としては、上下に開口部を有する直方体の段ボール箱が知られている。この段ボール箱は一般にみかん箱と呼ばれる梱包箱であって、上下の開口部のフラップを折り重ねて蓋をする構成とされている。
【０００３】
そのために、蓋を開ける際には、上面４片のフラップを順次開いていく操作が必要であり、ワンタッチで簡単に開けることはできず不便となっている。
【０００４】
さらに、蓋をしっかり閉めようとすれば、４片のフラップを互いに折り込むようにして組み合わせていくことが必要となり、この操作も容易ではない。
【０００５】
また、収納した品物を取り出し易いように、４片のフラップを順に折り畳むだけでは、フラップが固定されておらず、蓋として不完全である。
【０００６】
そのために、一回の操作で段ボール箱の蓋部を開き、開口面積の広い取出口を開口するために、段ボール箱の二面に跨る取出口を形成する蓋部を設けるとした梱包用段ボール箱が既に出願されている（例えば、特許文献１参照）。
【特許文献１】登録実用第３０１９０７１号公報（第１−１２頁、第１図）
【発明の開示】
【発明が解決しようとする課題】
【０００７】
段ボール箱内に収納した品物等を取り出すには、その開口部は大きいほうが好ましい。また、蓋部は容易に開くことができ、且つ、閉めた際にはきっちりと閉止することが好ましい。
【０００８】
また、単に開口部を大きくするだけでなく、開いた蓋が、収納物を取り出す作業を邪魔しない構成とすることが必要である。また、大きな開口部を設ける際に、ミシン目で囲んだ大きな天板部を設けると、ミシン目に沿って剥ぎ取る作業が困難となり、段ボール製容器の場合には、かなりの力が必要となるだけでなく、段ボール紙が破れて箱が破損するという問題が生じる虞もある。
【０００９】
本発明の目的は、上記問題点を解消するために、大きな開口部を有し収納物を容易に取り出し可能とすると共に、前記開口部を容易に形成可能とし、開閉自在な蓋を設け、前記蓋を確実に閉止可能な段ボール製梱包箱を提供することである。
【課題を解決するための手段】
【００１０】
上記の目的を達成するために請求項１に係る発明は、開閉自在な蓋を備える六面パネル体の段ボール製梱包箱であって、前記六面パネル体からなる箱体が、外面パネルと内面パネルを有する二重パネルからなる上面と、一対の左右の側面パネルと前面パネルと背面パネルの４面パネルから構成される側面と、底面パネルを備えており、前記左右の側面パネルを、前記底面パネルの両側に連接して設ける第一側面パネルと、前記背面パネルの両側に連接して設ける第二側面パネルとの二重パネルの上に、さらに前記内面パネルの両側に連接して設ける第三側面パネルを重ねた構成とし、前記第三側面パネルの先端側に折込フラップを設けて前記底面パネルの外側に貼着する構成とし、前記上面の二重パネル部に、前記内面パネルの一部に形成されるミシン目で囲まれた天板部と前記外面パネルとを貼着した後で、前記天板部を前記内面パネルから切断して剥ぎ取り、外面パネルと天板部とが貼着した構成の蓋と、前記内面パネルから前記天板部が剥ぎ取られて形成される開口部とを設け、前記外面パネルの両側端縁部の根元部に、蓋を開く際にガイドとなり、円弧状周縁部と該円弧状周縁部から突出した開口規制部とを備える開閉折込ガイドを設け、該開閉折込ガイドを前記側面パネルのいずれかの二枚の側面パネルで挟み込む構成とすると共に、前記内面パネルに、前記円弧状周縁部が挿通自在な溝部となる開閉溝部を設けて、前記円弧状周縁部が、前記開閉溝部に沿って摺動するように出入りする構成とし、前記外面パネルの先端縁には、蓋を閉止する差込片を設けたことを特徴としている。
【００１１】
上記の構成を有する請求項１に係る発明によれば、左右の側面パネルが三重パネル部となると共に第三側面パネルの折込フラップを底面パネルの外側に露出して貼着するので、箱の強度が向上し、箱の底面部の密封性が良くなる。また、蓋も二重パネル部となり強度が向上する。さらに、任意の大きさの開口部を形成することができ、ミシン目に沿った形状の天板部と開口部との切断部を蓋の嵌め込み部とすることもできる。また、開閉折込ガイドを介して蓋を開閉するので、安定した開閉を行うことができ、差込片を用いて蓋を確実に閉止することもできる。
【００１２】
請求項２に係る発明は、開閉自在な蓋を備える六面パネル体の段ボール製梱包箱であって、前記六面パネル体からなる箱体が、外面パネルと内面パネルを有する二重パネルからなる上面と、一対の左右の側面パネルと前面パネルと背面パネルの４面パネルから構成される側面と、底面パネルを備えており、前記左右の側面パネルを、前記底面パネルの両側に連接して設ける第一側面パネルと、前記背面パネルの両側に連接して設ける第二側面パネルとの二重パネルの上に、さらに前記内面パネルの両側に設ける第三側面パネルを重ねた構成とし、前記第三側面パネルの先端側に前記第三側面パネルの幅の半分以下の長さの折込フラップを設け、前記第一側面パネルに前記折込フラップを差し込む差込孔を設け、該差込孔に前記折込フラップを差し込んで箱体を構成し、前記上面の二重パネル部に、前記内面パネルの一部に形成されるミシン目で囲まれた天板部と前記外面パネルとを貼着した後で、前記天板部を前記内面パネルから切断して剥ぎ取り、外面パネルと天板部とが貼着した構成の蓋と、前記内面パネルから前記天板部が剥ぎ取られて形成される開口部とを設け、前記外面パネルの両側端縁部の根元部に、蓋を開く際にガイドとなり、円弧状周縁部と該円弧状周縁部から突出した開口規制部とを備える開閉折込ガイドを設け、該開閉折込ガイドを前記側面パネルのいずれかの二枚の側面パネルで挟み込む構成とすると共に、前記内面パネルに、前記円弧状周縁部が挿通自在な溝部となる開閉溝部を設けて、前記円弧状周縁部が、前記開閉溝部に沿って摺動するように出入りする構成とし、前記外面パネルの先端縁には、蓋を閉止する差込片を設けたことを特徴としている。
【００１３】
上記の構成を有する請求項２に係る発明によれば、左右の側面パネルを、折込フラップを差し込んで装着する第三側面パネルを含めた三重パネル部となり箱の強度が向上し、蓋も二重パネル部となり強度が向上する、さらに、任意の大きさの開口部を形成することができ、ミシン目に沿った形状の天板部と開口部との切断部を蓋の嵌め込み部とすることもできる。また、開閉折込ガイドを介して蓋を開閉するので、安定した開閉を行うことができ、差込片を用いて蓋を確実に閉止することもできる。
【００１４】
請求項３に係る発明は、前記開閉溝部の長さを、前記開閉折込ガイドの円弧状周縁部の半径よりもわずかに長い長さとしていることを特徴としている。
【００１５】
上記の構成を有する請求項３に係る発明によれば、開閉折込ガイドが開閉溝部の溝内をがたつくことなくきっちりとガイドされると共に、円弧状周縁部から突出した開口規制部が当接して挿通しない溝長さとしているので、任意の開き位置で蓋を開けて固定することができ、さらに最大開口位置を規制することができる。
【００１６】
請求項４に係る発明は、重ね合わせる前記第一、第二側面パネルの間に前記開閉折込ガイドを挿入しサンドイッチ状に挟み込む構成として、前記開閉折込ガイドがその両側をガイドされた状態で摺動する構成としたことを特徴としている。
【００１７】
上記の構成を有する請求項４に係る発明によれば、左右両側の開閉折込ガイドを、第一および第二側面パネルでサンドイッチ状に挟み込んで蓋の開閉を行うので、蓋を平行にスムーズに開閉することができる。
【００１８】
請求項５に係る発明は、前記内面パネルに予め所定大きさの開口窓部を設けておき、該開口窓部に前記天板部を連接して設けたことを特徴としている。
【００１９】
上記の構成を有する請求項５に係る発明によれば、大きな開口部としても、剥ぎ取る部分は小さくできるので、剥ぎ取り作業が容易となる。
【００２０】
請求項６に係る発明は、前記外面パネルの先端縁を延設して上面から前面の中ほどまでに至る長さとし、前記前面パネルに、前記天板部に連なるミシン目で囲まれた剥ぎ取り部を設けたことを特徴としている。
【００２１】
上記の構成を有する請求項６に係る発明によれば、上面から前面の中ほどに至る大きな開口部を形成するので、物品の出し入れがさらに容易となる。
【００２２】
請求項７に係る発明は、前記剥ぎ取り部の下部の、前記前面パネルの内側に補強段ボール材を貼着したことを特徴としている。
【００２３】
上記の構成を有する請求項７に係る発明によれば、前面パネルに大きな開口部を設けても、開口部の下部に補強段ボール材を貼着しているので、前面の強度を維持することができ、変形しない梱包箱とすることができる。
【００２４】
請求項８に係る発明は、前記外面パネルの先端縁に設ける差込片を前記先端縁から突出する長さとしたことを特徴としている。
【００２５】
上記の構成を有する請求項８に係る発明によれば、長い差込片を梱包箱の中に入れることで、蓋をさらに確実に閉止することができる。
【００２６】
請求項９に係る発明は、前記第三側面パネルの一部を切除して、前記開閉折込ガイドの円弧状周縁部と係合しない長さとしたことを特徴としている。
【００２７】
上記の構成を有する請求項９に係る発明によれば、開閉折込ガイドを第一側面パネルと第二側面パネルとで挟み込むサンドイッチ構成となるので、蓋を開閉する際に、開閉折込ガイドを締付けすぎることがなく、安定した開閉を行うことができる。
【００２８】
請求項１０に係る発明は、段ボールの段目を前記底面パネルと該底面パネルの両側に設ける第一側面パネルとに連続する平行な段目とし、箱体としたときに、前記第一側面パネルと前記第三側面パネルとの二面の段目が垂直方向となることを特徴としている。
【００２９】
上記の構成を有する請求項１０に係る発明によれば、左右の側面パネルの段目が上下方向となる箱体を構成するので、上下の耐荷重性が向上し段積みしても変形も破損もしない梱包箱とすることができる。
【００３０】
請求項１１に係る発明は、前記外面パネルの外側の所定位置に、貼付粘着部を有するシールを貼付可能とする添付台紙を予め貼着していることを特徴としている。
【００３１】
上記の構成を有する請求項１１に係る発明によれば、貼付粘着部を有する伝票等を繰り返し着脱自在となり、箱の外装を損なうことがない。そのために、配送用の梱包箱として繰り返し使用可能なる。
【発明の効果】
【００３２】
本発明によれば、大きな開口部を有し収納物を容易に取り出し可能とすると共に、前記開口部を容易に形成可能とし、開閉自在な蓋を設け、前記蓋の開閉をスムーズに行うと共に、前記蓋を確実に閉止可能な段ボール製梱包箱を得ることができる。
【発明を実施するための最良の形態】
【００３３】
以下、本発明に係る段ボール製梱包箱の実施の形態について、図面に基づいて詳細に説明する。
【００３４】
図１、図２に本発明に係る段ボール製梱包箱の第一の実施形態の展開図を示し、図４、図５に本発明に係る段ボール製梱包箱の第二の実施形態の展開図を示す。
【００３５】
図１の展開図に示す第一の実施形態の段ボール製梱包箱Ｈ１は、一枚の段ボール材からでも組み立て可能な六面体の箱体であって、表パネルとなる外面パネル１と、背面パネル３Ａと、底面パネル２と、前面パネル３Ｂと、裏パネルとなる内面パネル４を備えている。また左右の側面パネルとして、前記底面パネル２の両側に設ける第一側面パネル６Ａと、前記背面パネル３Ａ、前面パネル３Ｂの両側にそれぞれ設ける第二側面パネル６Ｂとの二重パネルの上に、さらに前記内面パネル４の両側に設ける第三側面パネル７を重ねた構成とし、前記第三側面パネル７の先端側に折込フラップ８Ａを設け、前記底面パネル２の外側に貼着する構成としている。
【００３６】
この構成であれば、最も外側の側面パネルの先端に延設する折込フラップ８Ａを底面パネル２に、シールやテープなどで封止するか、もしくは、糊剤又は接着剤を用いて貼着することで、箱の強度がさらに向上すると共に、箱の底面部を完全に密封することが可能となって、水気を嫌う物品を収納するのに好適な構成といえる。
【００３７】
また、箱体の上面を、外面パネル１と内面パネル４とを重ね合わせた二重パネルとし、該二重パネル部に、前記内面パネル４の一部に形成されるミシン目１７で囲まれた天板部４Ａと前記外面パネル１とを接着した後で、前記天板部４Ａを前記内面パネル４から切断して剥ぎ取り、外面パネル１と天板部４Ａとが貼着した構成の蓋を形成する。
【００３８】
さらに、外面パネル１の両側端縁部の根元部に、蓋を開く際にガイドとなる開閉折込ガイド５を設けると共に、先端縁には、蓋を閉止する差込片１１を設けた構成としている。
【００３９】
前記開閉折込ガイド５は、円弧状周縁部５Ａと該円弧状周縁部から突出した開口規制部５Ｂとを備えており、内面パネル４の折れ線部に設けられた溝部である開閉溝部１５に沿って、前記円弧状周縁部５Ａが摺動するように出入りする構成としている。
【００４０】
また前記開閉折込ガイド５の半径Ｌ２より、前記開閉溝部１５の長さＬ１を長くしておくことで、開閉折込ガイド５の挿通が容易な構成となる。
【００４１】
前記開閉折込ガイド５は側面側に折り込まれるので、重ね合わせる側面パネル間に挿入してサンドイッチ状に挟み込むことができる。挟み込む際には、いずれの側面パネル同士で挟み込んでもよいが、本実施の形態においては、第一側面パネル６Ａと第二側面パネル６Ｂとでサンドイッチ状に挟み込む構成としている。そのために、左右両側の開閉折込ガイド５がガイドされながら蓋の開閉を行うことになり、蓋を平行にスムーズに開閉することができる。
【００４２】
第一側面パネル６Ａと第二側面パネル６Ｂとでサンドイッチ状に挟み込む際に、さらに第三側面パネル７を重ね合わせる構成とし、前記開閉折込ガイド５を強固に挟み込んでガイドすることも可能である。
【００４３】
しかし、第三側面パネル７の幅を前記の長さＬ１だけ短くした第三側面パネル７Ａとし、この幅に応じた折込フラップ８Ｂとすると、前記開閉折込ガイド５を、ただ、第一側面パネル６Ａと第二側面パネル６Ｂとの二面でサンドイッチ状に挟み込むので、開閉折込ガイドの締付け力の加減が容易となり、締付けすぎることがなくなるので、蓋を開閉する際に安定した開閉を行うことができる。また、長さＬ１分切除した側面パネル構成であっても、側面部全長に配設される第一側面パネル６Ａおよび相対向する一対の第二側面パネル６Ｂが重なり合って二重パネルを構成した上に、第三側面パネル７Ａを重ねる構成としているので、箱体の強度と密封性が劣化することはない。
【００４４】
図８(ａ)に示すように、最外層となる第三側面パネル７、７Ａを折り畳んで、折込フラップ８（８Ａ、８Ｂ）を図８(ｂ)に示すように、底面フラップ２の外側に貼着する構成としているので、箱の底面部を完全に密封することが可能となる。
【００４５】
また、段ボールの段目２２を前記底面パネル２と該底面パネル２の両側に設ける第一側面パネル６Ａとに連続する平行な段目とすれば、箱体としたときに、前記第一側面パネル６Ａと前記第三側面パネル７、７Ａとの二面の段目が垂直方向となり、垂直荷重に抗する強度が増すので、図３に示す箱体ＨＡの強度は増加する。
【００４６】
図２に示す段ボール製梱包箱Ｈ１は、前記折込フラップ８Ａの長さを前記第三側面パネルの幅の半分以下の長さの折込フラップ８Ｃとして、前記第一側面パネル６Ａに前記折込フラップ８Ｃを差し込む差込孔２４を設け、該差込孔２４に前記折込フラップ８Ｃを差し込んで箱体を構成している。
【００４７】
この構成であれば、側面を接着していないので、第三側面パネル７、７Ａの開閉が自在となって、物品の出し入れを側面部から行うことが可能となり、箱の再利用が容易となる。
【００４８】
ただし、折込フラップ８Ｃと底面２とを貼着していないので、密封性は劣る。そのために、この差込型の折込フラップ８Ｃは、密封性を要求されない簡易包装が可能な物品を梱包する際に有効となる。
【００４９】
これらの多数のパネルやフラップを図中の折れ線１２、１３に沿って折り畳んで六面パネル体の箱体を構成する。また、前記外面パネル１を表側とし、前記内面パネル４を裏側として貼り合わせて二重パネル部を有する上面部を構成する際に、糊代部１８に糊剤又は接着剤を塗布して両者を貼り合わせて箱体を構成する。
【００５０】
折れ線１２、１３に沿って折りたたんで前記差込孔２４に前記折込フラップ８Ｃを差し込み、前記外面パネル１を表側とし、前記内面パネル４を裏側として貼り合わせて図３（ａ）に示す箱体ＨＡを形成する。
【００５１】
この時に、内面パネル４から突出して設ける折り返しフラップ９の斜線部に示す糊代部１８に糊剤又は接着剤を塗布して、該フラップを背面パネル３Ａの内面に貼着することで強固な箱体を形成する。
【００５２】
前記内面パネル４にはミシン目１７に囲まれた天板部４Ａを設けている。前記外面パネル１を除く６面のパネルを折り込んで箱体を形成した後で、前記天板部４Ａの上面に設けられる糊代部１８に糊剤又は接着剤を塗布して、前記外面パネル１を折りたたんで貼着する。
【００５３】
折込フラップ８（８Ａ、８Ｂ、８Ｃ）を固着する前であれば、前記外面パネル１と前記内面パネル４とを貼着して箱体を形成した後で、第一側面パネル６Ａと第二側面パネル６Ｂを開けて、日用品やその他の物品を詰め込むことができる。物品を詰め込んだ後で、第一、第二側面パネルを折込み、前記第三側面パネル７と折込フラップ８を差し込むか、折り込んでシールやテープなどで封止、もしくは、糊剤又は接着剤を用いて貼着する。
【００５４】
物品が詰め込まれた段ボール製梱包箱Ｈを開封する時には、開け口１９から外面パネル１に設けられている差込片１１およびその周辺端部を摘んで、前記外面パネル１を引き上げる操作を行う。すると、裏パネルである内面パネル４はその折り返しフラップ９が背面パネル３と貼着されているので持ち上がらない。しかし、前記外面パネル１に貼着している前記天板部４Ａが、引き上げられる外面パネル１に引きつられ、ミシン目１７に沿って切断されて、図３（ｂ）に示す開口部２０が形成される。
【００５５】
すなわち、外面パネル１に天板部４Ａが貼着された蓋ＨＣ１が形成され、天板部４Ａが切断された内面パネル４に開口部２０が形成される。つまり、蓋ＨＣ１を開けると、上面となる内面パネル４に大きな開口部２０が出現する。さらに、前記蓋ＨＣ１は、外面パネル１に天板部４Ａが貼着された二重パネルとなっているので、蓋強度も強く、繰り返し開閉操作を行っても、蓋ＨＣ１が折れたり曲がったりしない。
【００５６】
ミシン目１７に囲まれた天板部４Ａを大きく設定しておけば、それだけ大きな開口部２０を形成することができる。しかし、単に天板部４Ａを大きくすると、剥ぎ取る際に大きな力を要し、段ボールを組み立てた梱包箱の場合には、その剥ぎ取る力により、箱体自体が引き裂かれて破損する虞が生じる。そのために、本実施の形態においては、前記内面パネル４に予め所定大きさの開口窓部４Ｂを設けておき、該開口窓部４Ｂに連接して後で剥ぎ取る前記天板部４Ａを設ける構成とした。
【００５７】
そのために、前記天板部４Ａと前記開口窓部４Ｂとを合わせた合計面積が開口部２０となるので、前記開口部２０を大きく設ける際にも、剥ぎ取るミシン目長さを短くすることができ、剥ぎ取り作業が容易となる。例えば、図１０に示す例では、天板部４Ａと開口窓部４Ｂとを略同じ大きさとした場合を示している。この例では、ミシン目１７Ａ、１７Ｂ、１７Ｃと開口部２０に囲まれた天板部４Ａとなっており、該天板部４Ａの糊代部１８に貼着された図示しない外面パネルを引き上げると、前記ミシン目１７Ａ、１７Ｂ、１７Ｃ部分のみが引きちぎられて、前記天板部４Ａの略二倍の大きさの開口部２０が形成される。
【００５８】
また、ミシン目を段ボールに設けて剥がし易くするために、段目２２に平行なミシン目１７Ｂと、段目に垂直な、もしくは、平行でないミシン目１７Ａ、１７Ｃとで、その形状を変更して、ミシン目１７Ａと１７Ｃのミシン目の切断部長さを長いミシン目として、切断容易な天板部４Ａとすることもできる。
【００５９】
切断された天板部４Ａが貼着され二重パネル構成となった蓋ＨＣは、折れ線１２を回転軸として開閉自在であって、前記蓋ＨＣを閉める時には、天板部４Ａが再度前記内面パネル４の開口部２０に嵌まり込む構成である。
【００６０】
つまり、切断されて引きちぎられたミシン目１７（１７Ａ、１７Ｂ、１７Ｃ）に沿って再度嵌まり込む。ミシン目１７はその縁部がぎざぎざ状となっているので、このぎざぎざ状縁部の摩擦により閉じた状態を維持することが容易となる。特にミシン目１６Ａに相当する開口部端縁２１が所定長さあれば摩擦力を大きくすることができ好適である。
【００６１】
上記したように、蓋ＨＣをきっちりと閉止するためには、ある程度のミシン目長さが必要である。しかし、ミシン目が長すぎると、天板部４Ａの剥ぎ取り作業が困難となる。そのために、本実施の形態においては、天板部４Ａの大きさは開口部２０の半分程度の大きさとしている。この割合であれば、剥ぎ取り作業の困難度を上げずに、開口部面積を大きくすることができ、さらには、蓋ＨＣを安全に封止可能となり好適である。
【００６２】
また、蓋ＨＣを構成する外面パネル１の折れ線１２側の両側端縁部の根元部に、蓋ＨＣを開閉する際にガイドとなる開閉折込ガイド５を設けている。さらに、前記外面パネル１の先端縁には、蓋ＨＣを閉める際に、内面パネル４に係止して、蓋ＨＣを閉止する差込片１１を設けている。
【００６３】
前記開閉折込ガイド５は、円弧状周縁部５Ａと該円弧状周縁部から突出した開口規制部５Ｂとを備えており、内面パネルの折れ線部に設けられたガイド溝である開閉溝部１５に沿って、前記円弧状周縁部５Ａが摺動するように出入りする構成としている。
【００６４】
そのために、前記蓋ＨＣを閉止する際には、開閉折込ガイド５が、開閉溝部１５を挿通してガイドされながら閉まっていき、前記ミシン目１７部が係合してぴったり閉止することができる。また、前記差込片１１を内面パネル４の内面折り返し片１０の下側に差し込むと、さらに強固に閉止することができる。
【００６５】
次に図９により蓋ＨＣの開閉動作について説明する。図９は蓋ＨＣの開閉状態を示す模式図であって、（ａ）は閉めた状態を示し、（ｂ）は開いた状態を示している。図に示すように、前記開閉折込ガイド５が挿通する開閉溝部１５の長さＬ１を、前記開閉折込ガイドの円弧状周縁部５Ａの半径Ｌ２よりもわずかに長い（例えば１〜３ｍｍ程度）長さとしている。そのために、前記開閉折込ガイド５の両側を、前述した第一および第二側面パネルが挟み込んで、蓋ＨＣが旋回移動するので、前記開閉折込ガイド５を保持しながら移動し、蓋ＨＣを任意の開閉位置で停止し仮固定しておくことができる。また、前記開閉溝部１５の溝部の幅を前記開閉折込ガイド５の幅程度とすることで、該開閉折込ガイド５の両側部を圧迫して蓋ＨＣの停止力を向上することもできる。
【００６６】
そのために、図９（ｂ）に示す途中まで開いた状態で停止することも可能であり、この状態で箱の中に収納された物品等を容易に取り出すことができる。つまり、開かれた蓋ＨＣが収納物の取り出し作業を妨害しない構成となる。また、最大開口位置を規定するために設けられている開口規制部５Ｂが内面パネル４に当接する（図中の想像線に示す位置）までが開口範囲となる。
【００６７】
また、蓋ＨＣを閉止する際には、天板部４Ａを開口部２０に嵌め込むので、それだけでも閉止状態を維持しておくことができる構成である。さらに、差込片１１を内面パネル４の内面折り返し片１０に差し込むことで、より一層強固に閉止可能となる。
【００６８】
前記差込片１１は、外面パネル１の先端縁の一部に切り込みを入れて屈曲容易として把持し易い構成とされており、蓋ＨＣを閉止する際には、この差込片１１を箱内部に折り込んで閉止状態を維持するための係止部材となる。また、前述したように、開口部２０を形成する際には、指で把持して持ち上げる把持部材ともなる。
【００６９】
図４から図６に示す第二の実施形態の段ボール製梱包箱Ｈ２は、前記外面パネルの先端縁を延設して上面から側面（前面３Ｂ）の中ほどまでに至る長さとし、前記前面パネル３Ｂに、前記天板部４Ａに連なるミシン目で囲まれた剥ぎ取り部を設けた例である。その他の構成は、全て前述した第一の実施形態の段ボール製梱包箱Ｈ１と同一であり、ここでは詳述しない。
【００７０】
また、図４には、内面パネル４の幅と同等の長さをした折込フラップ８Ａと、該８Ａより長さＬ１だけ短い幅の折込フラップ８Ｂの実施形態例を示し、図５には、第三側面パネル７、７Ａの先端側に前記第三側面パネル７、７Ａの幅の半分以下の長さの折込フラップ８Ｃを設け、前記第一側面パネル６Ａに前記折込フラップ８Ｃを差し込む差込孔２４を設けた例を示している。前記折込フラップ８Ｃと差込孔２４を備える梱包箱であれば、差込孔２４に前記折込フラップ８Ｃを差し込むだけで梱包箱を構成するが、折込フラップ８Ａまたは８Ｂを備え、差込孔２４を備えていない梱包箱であれば、折込フラップ８Ａ、８Ｂを底面パネル２にシールやテープなどで封止するか、もしくは、糊剤又は接着剤を用いて貼着して梱包箱を構成する。
【００７１】
第二の実施形態の段ボール製梱包箱Ｈ２は、図６（ａ）に示すように、台形状の延設部１Ａａを有する外面パネル１Ａを備えている。そのために、開け口１９から外面パネル１Ａに設けられている差込片１１およびその周辺端部を摘んで、前記外面パネル１Ａを引き上げる操作を行う。すると、前記外面パネル１Ａに貼着されている天板部となる剥ぎ取り部４Ａａが、引き上げられる外面パネル１Ａに引き剥がされて、図６（ｂ）に示すように、ミシン目および開口窓部に沿って形成される開口部２０Ａが形成される。
【００７２】
台形状の延設部１Ａａを有する蓋ＨＣ２は、蓋を閉止すると、剥ぎ取り部４Ａａの切断面が開口部端縁２１に嵌まり込み、蓋ＨＣ２の閉止状態を保持することができる。また、蓋ＨＣ２を形成する際の引き剥がし労力を低減するためには、引き剥がす前記剥ぎ取り部４Ａａの大きさを小さくすることが肝要である。もしくは、切断部と非切断部とを連続して備えるミシン目の切断部長さを長くして、引き剥がし容易とすることで、前記剥ぎ取り部４Ａａを大きくすることも可能である。
【００７３】
台形状の延設部１Ａａを有する蓋ＨＣ２であれば、台形状の開口部を前面パネル３Ｂに備える大きな開口部２０Ａを有する段ボール製梱包箱Ｈ２となり、梱包した物品が取り出し易くなって好適である。また、この段ボール製梱包箱Ｈ２を再利用する際にも、物品の出し入れが容易となって、家庭内で使用する梱包箱として利用価値が高い段ボール製梱包箱となる。
【００７４】
また、前記外面パネル１Ａの先端縁に設ける差込片を前記先端縁から突出する長さの差込片１１Ａとすれば、前面パネル３Ｂの内側に前記差込片１Ａを長く差し込むことが可能となり、蓋ＨＣ２を確実に閉止することができる。
【００７５】
もちろん、第一実施形態の段ボール製梱包箱Ｈ１に前記差込片１Ａを用いることも可能であって、いずれにしても、外面パネルの先端縁から突出した差込片１１Ａを箱内部に折り込むと、蓋を確実に閉止して、少し開いたような中途半端な状態とはならない。
【００７６】
さらに、図７に示すように前面パネル３Ｂに大きな開口部を設ける構成とすることも可能である。図７（ａ）に示す箱体Ｈ３は、前述した延設部１Ａａより大きな台形状の延設部１Ａｂを備えている。また、図７（ｂ）に示す開口部２０Ｂは、前面パネル３Ｂ側に大きく開口しており、梱包箱の前方から物品の出し入れが容易な構成であるので、上面の内面パネル４側の開口部は前面パネル３Ｂ側の、パネル幅の半分程度の大きさの開口であればよい。
【００７７】
この時に、前面パネル３Ｂを大きく開口する開口部２０Ｂを形成するために設けられた剥ぎ取り部４Ａｂの下部の、前記前面パネル３Ｂの内側に補強段ボール材２３を貼着した構成としている。この構成であれば、前面パネル３Ｂに大きな開口部を設けても、開口部の下部に補強段ボール材２３を貼着しているので、前面パネル３Ｂの強度を維持することができ、変形しない梱包箱とすることができる。
【００７８】
また、この箱体の強度を維持し変形を防止する補強段ボール材２３の内側に差込片１１Ａを差し込むことになるので、前記差込片１１をしっかり保持して蓋ＨＣ３を変形することなく確実に閉止することができる。さらに、蓋ＨＣ３の開閉を繰り返しても、箱体が変形せず、繰り返し使用可能な段ボール製梱包箱となる。
【００７９】
次に、段ボール製梱包箱Ｈを組み立てる際の組み立て順を図１１より説明する。
【００８０】
図１１は梱包箱Ｈ４の側面パネルの折り畳み順を示す説明図であって、（ａ）は折り畳む前の側面が未だ開放状態であり、（ｂ）には相対向する第二側面パネルを折り畳んだ状態を示し、（ｃ）には第一側面パネルおよび開閉折込ガイドを畳んでさらに第三側面パネル７を畳む状態を示している。また（ｄ）にはサンドイッチ構成とされる開閉折込ガイド部分の断面図を示している。
【００８１】
図１１（ａ）に示すように、第二側面パネル６Ｂａを最初に折り畳み（矢印（１））、次いで、開閉折込ガイド５側の第二側面パネル６Ｂｂを折り畳む(矢印（２））。その上に開閉折込ガイド５を折り畳んで（矢印（３））、第一側面パネル６Ａを折り畳み（矢印（４））次に図１１（ｃ）に示すように、第三側面パネル７を折り畳む（矢印（５））。
【００８２】
そのために、前記開閉折込ガイド５は、図１１（ｄ）に示すように、第二側面パネル６Ｂｂと第一側面パネル６Ａおよび第三側面パネル７との間に挟まれたサンドイッチ構造となる。つまり、前記開閉折込ガイド５は、その両側をガイドされた状態で摺動する構成となり、蓋となる外面パネル１をスムーズに開閉することができる。
【００８３】
前記第三側面パネル７は、前記開閉折込ガイド５の幅に相当する部分を切断した形状の場合もあるが、この場合でも、前記開閉折込ガイド５は、第二側面パネル６Ｂｂと第一側面パネル６Ａとの間に挟まれたサンドイッチ構造となる。
【００８４】
上記のようにいずれの構成であっても、前記開閉折込ガイド５が、第二側面パネル６Ｂｂと第一側面パネル６Ａとでサンドイッチ状に挟まれた状態で、摺動することになる。そのために、蓋となる外面パネル１は、その両側端縁部に設ける開閉折込ガイド５がガイドされながら摺動して開閉することになり、開閉がスムーズであるだけでなく、任意の開閉位置で停止して仮固定可能な状態にもなる。
【００８５】
また、左右の側面パネル部が二重あるいは三重のパネル構成となっているので、側面部の箱強度が増加し密封性がさらに向上することになり、物品を収納する段ボール製梱包箱としてさらに好適である。また、押し潰される上下方向に抵抗力を発揮するので、多数の梱包箱を段積みして配送することも可能となって、配送用としても好適に適用可能な段ボール製梱包箱となる。
【００８６】
さらに、外面パネル１の外側の所定位置に、貼付粘着部を有するシールを貼付可能とする添付台紙（不図示）を予め貼着しておくと、該添付台紙の上に、剥離シールを外すことにより貼付粘着部が露出する伝票等を梱包箱に容易に貼付することができる。
【００８７】
また、前記添付台紙を、貼付粘着部を有するシールを繰り返し着脱自在とする材質のシールから構成すれば、伝票等を繰り返し着脱自在となり、箱の外装を損なうことなく、繰り返し使用可能な段ボール製梱包箱となる。
【００８８】
本発明に係る段ボール製梱包箱Ｈは、上記したような一連の動作で組み立てることができるので、組立が非常に容易な段ボール製梱包箱となる。また、第一、第二側面パネルを有していると共に第三側面パネルを底面パネルの外側に貼着する構成としているので、梱包物のはみ出しや漏れを高度に防止して、日用品や小物を収納する家庭内の段ボール製梱包箱として好適となる。さらには、図示しているようにその展開図がほぼ長方形であるので、一枚の段ボール材を有効に利用していることが明らかであり、資源の有効利用性からも好適となる。
【００８９】
また、本発明に係わる段ボール製梱包箱は、任意の大きさの開口部を設けることが容易であり、収納する物品により適当な大きさと形状をした開口部を形成して、収納した物品の取り出しが容易となる。
【００９０】
さらに、蓋をスムーズに開閉することができ、所定の開き位置に固定することができるので、収納物の取り出しがさらに容易となる。また、一旦引き剥がしたミシン目を封止部として利用すると共に、差込片を用いて封止することができるので、簡単に蓋を再封することが容易となる。
【００９１】
そのために、本発明に係わる段ボール製梱包箱は、開閉を繰り返す家庭内の物品を収納する梱包箱として好適に利用可能である。
【図面の簡単な説明】
【００９２】
【図１】本発明に係る段ボール製梱包箱の第一の実施形態の展開図を示している。
【図２】第一の実施形態であって、差し込み型の折込フラップを備える段ボール製梱包箱の展開図を示している。
【図３】組み立てられた箱体の概観斜視図を示し、（ａ）は蓋を閉めた状態であり、（ｂ）は蓋を開けた状態を示している。
【図４】本発明に係る段ボール製梱包箱の第二の実施形態の展開図を示している。
【図５】第二の実施形態であって、差し込み型の折込フラップを備える段ボール製梱包箱の展開図を示している。
【図６】組み立てられた箱体の概観斜視図を示し、（ａ）は蓋を閉めた状態であり、（ｂ）は蓋を開けた状態を示している。
【図７】組み立てられた箱体の概観斜視図を示し、（ａ）は蓋を閉めた状態であり、（ｂ）は蓋を開けた状態を示している。
【図８】側面パネルの両側に設ける折込フラップの貼着状態を示す側面図であって、(ａ)は貼着前の状態を示し、(ｂ)は貼着後の状態を示している。
【図９】蓋の開閉状態を示す模式図であって、（ａ）は閉めた状態を示し、（ｂ）は開いた状態を示している。
【図１０】開口部の拡大説明図である。
【図１１】側面パネルの折り畳み順を示す説明図であって、（ａ）は折り畳む前の側面が未だ開放状態であり、（ｂ）には相対向する第二側面パネルを折り畳んだ状態を示し、（ｃ）には開閉折込ガイドと第一側面パネルを畳んでさらに第三側面パネルを畳むところを示している。また（ｄ）にはサンドイッチ構成とされる開閉折込ガイド部分の断面図を示している。
【符号の説明】
【００９３】
１  外面パネル（表パネル）
４  内面パネル（裏パネル）
４Ａ  天板部
４Ｂ  開口窓部
５  開閉折込ガイド
６Ａ  第一側面パネル
６Ｂ  第二側面パネル
７、７Ａ  第三側面パネル
１１  差込片
１５  開閉溝部
１７  ミシン目
２０  開口部
２２  段目
Ｈ  段ボール製梱包箱
ＨＡ  箱体
ＨＣ  蓋
【図１】
2008074458.tif 000003
【図２】
2008074458.tif 000004
【図３】
2008074458.tif 000005
【図４】
2008074458.tif 000006
【図５】
2008074458.tif 000007
【図６】
2008074458.tif 000008
【図７】
2008074458.tif 000009
【図８】
2008074458.tif 000010
【図９】
2008074458.tif 000011
【図１０】
2008074458.tif 000012
【図１１】
2008074458.tif 000013